(57)【要約】【課題】  歯科医の不安定な治療姿勢が抜本的に改善され、一定の安定した治療部位を一定の安定した治療姿勢で行われる治療により、人間がもともと備えていた歯科医の五感や能力を最大限に活用して、治療にあたることができるようにする。【解決手段】  歯科診療台の近傍に配置された歯科医用椅子と、患者の口の近傍に固定されていて、カメラのレンズの表面に親水性のカバーが設けられている口腔内カメラと、その口腔内カメラの映像が映し出され、該歯科医用椅子に座った歯科医、歯科診療台上の患者、及び歯科助手の３者から見える位置に設置されていて、この映像を該歯科医が上下反転と左右反転の画面転換させることができる第１モニターと、前記口腔内カメラの映像を記録することができる録画装置とからなる歯科診療装置【選択図】  図１
2005103048.tif 000002
【特許請求の範囲】
【請求項１】
歯科診療台の近傍に配置された歯科医用椅子と、患者の口腔内の動画映像を撮影することができ、患者の口の近傍で固定することができ、またカメラのレンズの表面に親水性の材質でできたカバーが設けられている口腔内カメラと、該歯科医用椅子に座った歯科医、歯科診療台上で仰向けになった患者、及び診療補助をする歯科助手の３者から見える位置に設置され、前記口腔内カメラの映像が映し出され、この映像を該歯科医がフットスイッチを操作して上下反転と左右反転の画面転換させることができる第１モニターと、歯科医がフットスイッチを操作して口腔内カメラの映像を記録することができる録画装置とからなることを特徴とする歯科診療装置
【請求項２】
歯科診療台の上で仰向けになった患者が見やすい位置に設置され、かつ第１モニターの画面が映るように角度調整がされている患者用鏡と、
歯科助手が診療補助をしながら見やすい位置に設置され、かつ第１モニターの画面が映るように角度調整がされている歯科助手用鏡とを具備することを特徴とする請求項１記載の歯科診療装置
【請求項３】
歯科診療台の上で仰向けになった患者から見やすい位置に設置され、かつ口腔内カメラの映像が映し出される第２モニターと、歯科助手が診療補助をしながら見やすい位置に設置され、かつ口腔内カメラの映像が映し出される第３モニターとを具備することを特徴とする請求項１記載の歯科診療装置
【請求項４】
口腔内カメラが２つのレンズによって２つの方向から同一の部位を撮影でき、かつ患者の口の近傍に固定することができ、また該２つのレンズの表面には親水性の材質でできたカバーがつけられていることを特徴とする請求項１から３の何れか１項に記載の歯科診療装置
【請求項５】
歯科助手が患者の口腔内をいつでも見られるようにするため手に持って撮影でき、かつその動画映像を第３モニターに映し出すことができ、しかもバキュームまたはスリーウェイシリンジと一体にすることが可能な歯科助手用カメラを備えていることを特徴とする請求項１から４の何れか１項に記載の歯科診療装置
【請求項６】
口腔内カメラと一体または別体に構成されているカメラ保持具を備えていることを特徴とする請求項１から４の何れか１項に記載の歯科診療装置
【請求項７】
患者の口腔内の任意の位置にバキュームチップを固定しておくことのできるフレキシブル管延長ホースを備えていることを特徴とする請求項１から４の何れか１項に記載の歯科診療装置
【請求項８】
口を開けて治療を受けている患者が歯科医や歯科助手に自分の意思を伝えるために、手に持っている発信機を操作することで第１モニターから第３モニターまたは二分割モニターの少なくても１つの画面上に、文字や記号などが表示できる表示手段を備えていることを特徴とする請求項１から４の何れか１項に記載の歯科診療装置
【請求項９】
患者の身体の状態を感知して、それを第１モニターから第３モニターおよび二分割モニターのうちの少なくても１つのモニターに表示することを特徴とする請求項１から４の何れか１項に記載の歯科診療装置
【請求項１０】
口腔内カメラが並列に2つのレンズを備え、2つのレンズが異なる方向から同じ被写体を同時に撮影できるものであって、それから得られる二つの映像を用いて立体視をすることができる第１モニターから第３モニター、および二分割モニターのうちの少なくても１つのモニターを備えることを特徴とする請求項１から４の何れか１項に記載の歯科診療装置
【請求項１１】
口腔内カメラがそのヘッド部分をカメラ本体に対して、折り曲げて角度を変える手段を備えていることを特徴とする請求項１から４の何れか１項に記載の歯科診療装置
【請求項１２】
口腔内カメラが歯科用切削器具であるタービンやマイクロモーターのハンドピース、または医療用器具である超音波スケーラー、電気メス、レーザーなどのハンドピースの少なくても何れかに着脱自在に装着されていることを特徴とする請求項１から４の何れか１項に記載の歯科診療装置
【請求項１３】
口腔内カメラがそのヘッド部分に舌圧排子を着脱自在に装着されていることを特徴とする請求項１から４の何れか１項に記載の歯科診療装置
【発明の詳細な説明】
【技術分野】
【０００１】
この発明は歯科診療台に口腔内カメラとその映像を映すモニターを備え、歯科医がモニターに映した患者の口腔内の動画映像を見ながら治療ができるように設定された歯科診療装置の改良に関するものである。
更に述べれば、上記モニターの画面上に口腔内カメラの映像の他に、治療中のため話すことが困難な状態の患者でもその痛感等の身体の状態や意思などを文字等で表示できる歯科診療装置に関するものである。
【背景技術】
【０００２】
従来の歯科診療装置は歯科医が治療しようとする口腔内の部位を直接見ながら治療するための歯科診療装置であって、その歯科診療装置を用いて治療する際は図１２に示すように各患者１５の体位に対して歯科医は治療部位を良く見ようとするために前屈みになったり、左右に体をねじ曲げたりする不自然で無理な診療姿勢を強いられた。その結果、多くの歯科医は腰痛などの職業病に苦しんでいる。
【０００３】
歯を切削する治療に求められる作業精度は０．２ミリメートルと言われているが、肉眼でこの精度の治療をするのは目の識別能力の限界での治療作業となり、目の疲労は甚だしいものだった。そのため現実には求められている治療精度に達しない治療が行われることが予測される。
【０００４】
従来の歯科治療では角度的に直接見えない口腔内の治療部位を図１３〜図１５に示す如く歯鏡４８に映して見ながら治療する方法がある。図１４のように患者１５を診療台の上に仰向けに寝かせ歯科医１４は患者１５の頭頂部方向に設置された椅子に座っている。そして患者１５の上顎臼歯咬合面を歯鏡４８に映して見ながら治療する場面である。歯科医１４は左手４７に歯鏡４８を持ち、上顎臼歯咬合面を歯鏡４８に映して見ている。図１３は理解を容易にするために考えた解説図で上顎臼歯咬合面にアルファベットのＦを貼り付けてある。図１３を反対方向から見ている図１４では歯鏡４８に映されたＦは左右が反転している。つまり歯科医１４が歯鏡４８を使って見ている上顎臼歯咬合面は実物に対して左右反転像ということになる。
【０００５】
次に歯科医１４が診療器具５０を右手４６に持ち、それを上顎臼歯咬合面の表面を上方から下方に移動させる。その時、歯鏡４８に映る診療器具５０も上方から下方に移動して見える。また診療器具５０を上顎臼歯咬合面の表面を左側から右側に移動させると、歯鏡４８に映る診療器具５０も左側から右側に移動して見える。このため歯科医１４は歯鏡４８に映る左右反転像を見ながら診療器具５０を移動させた時、方向を間違えることがない。
【０００６】
従来の口腔内カメラには専用のカバーが備えられている機種もあるが、口腔内カメラで撮影しながら歯を削ると、切削器具から歯面に噴射される水が口腔内カメラのレンズの表面またはレンズのカバーの表面で水滴をつくり、映像が見えなくなってしまった。
【０００７】
従来の肉眼で見ながら行う治療では下顎臼歯舌側歯面を治療する場合、歯面を覆う舌を歯科医が片手で保持した歯鏡などを使って排除し、そこにできた空間で歯科医がもう一方の手を使って治療器具を動かして治療していた。ただし、肉眼ではとても見にくい部位であるため難易度の高い治療となっていた。口腔内カメラを使って撮影しながら治療しようとしても、歯科医の２本の手がすでに使われているため歯面の状況を確認するだけで治療できなかった。
【０００８】
歯鏡で治療部位を見ながら治療を進める方法には幾つかの問題がある。この方法では患者の吐息によって歯鏡が曇りやすい。また歯を削る時に切削器具から噴射される水しぶきが歯鏡に付着すると歯鏡は映らなくなってしまい、甚だ治療しにくくなった。そのため、大多数の歯科医は歯鏡に治療部位を映して、歯鏡に映った鏡像を見ながら治療を進めることができず、歯鏡は治療の前後に治療部位の状態を確認するためにだけ使っている。
【０００９】
従来の多くの口腔内カメラの映像について解説すると、その口腔内カメラのレンズの位置はヘッド部分の側面についている。そして口腔内カメラはヘッド部分を上方に向けた状態で立っている患者の顔を撮影するとモニター画面上に患者の顔が実際と同じ向きに映るように設定されている。したがって、口腔内カメラのヘッド部分を下方に向けた状態で患者の顔を撮影すると、モニター画面上に映し出される患者の顔は１８０度回転した状態、すなわち上下、左右が反転した映像になる。なお口腔内カメラの映像は数倍から数十倍の拡大像である。
【００１０】
次に図１および図１６のように患者１５を歯科診療台１に仰向けに寝かせ、歯科医１４が患者１５の頭頂部方向に設置された歯科医用椅子４に座り患者１５の上顎前歯唇側面を撮影する場合、口腔内カメラ１２のヘッド部分３７が患者１５の頭頂部方向に向くようにすると撮影しやすい。その映像をモニターに映すと、歯科医１４の視点から見える実際の上顎前歯唇側面に比べ上下、左右が反転して映る。すなわち、上顎前歯唇側面を口腔内カメラで映すとその映像は歯科医の視点から見える実際の口腔内と比べて上下、左右が反転していることになる。したがって、この映像を見ながら手を動かすと、意図した方向に対して上下、左右に逆方向に動いてしまうことになり、とても治療することはできない。
【００１１】
次に図１および図１４のように患者を歯科診療台に仰向けに寝かせ、歯科医が患者の頭頂部方向に設置された歯科医用椅子に座る。そして患者の上顎臼歯咬合面を撮影する場合、口腔内カメラ１２をヘッド部分３７が下方へ向くように患者１５の口腔内に入れ、レンズを上顎に向けて患者の上顎臼歯咬合面を撮影する。その映像はモニターに映すと実物に比べて上下、左右が反転して映ることになる。前記のように歯科医は上顎臼歯咬合面を歯鏡４８に映すと左右反転されて映ることになるが、この左右反転像を見ながら、診療器具５０を思った方向に間違えずに動かせる。したがってこの原理から口腔内カメラ１２の映像の上下のみ反転すれば、その映像を見ながら診療器具５０を思った方向に間違えずに動かせることになる。
【００１２】
従来の口腔内カメラの保持具について特開２００１−１１２７１３号公報に記載されている。その口腔内カメラは口腔内で自由に動かすことはできると思われる。ところが狭い口腔内で治療をする場合、口腔内カメラが他の治療器具とぶつからないように離しておく必要から、口腔内カメラは舌や口唇に近い位置または接触させた位置になる。そのため舌や唇に押されて口腔内カメラが動いてしまうという問題があった。
【特許文献１】特開２００１−１１２７１３号公報
【００１３】
また特開平７−２７５２０２号公報によると口腔内カメラの映像を見ながら治療作業を進めることができると記述されている。しかしこの装置は映像を映すモニターを傾けることができるが、モニター画面を上下・左右に反転させることができないため、実際に治療作業を進めると歯科医の手の動きの方向とモニター画面上での手の動きの方向が一致しないことが多くあり、治療作業を進めることが大変困難となっていた。
【特許文献２】特開平７−２７５２０２号公報
【００１４】
同様に特開２００１−１１２７１３号公報によると診療カメラで得られた画像を見ながら治療も可能と記述されている。しかし、画像を反転させることができないため、治療作業を進めることは大変困難となっていた。
【特許文献３】特開２００１−１１２７１３号公報
【００１５】
さらに特開２００２−１０２１６８号公報によると口腔内カメラの映像を撮影部位によって左右反転させる必要性について説明されている。しかし、歯科医の手の動きの方向とモニター画面上での手の動きの方向は上下が逆転してしまう場合があり、治療作業は困難となっていた。
【特許文献４】特開２００２−１０２１６８号公報
【００１６】
またさらに特開２００２−１２５９３８号公報によると患者の生体情報をモニターに表示する医療システムが記述されている。しかしこの治療法では歯科医は、診療中は常に患者の口腔内を見ている必要があり、モニターと患者の口腔内の両者を交互に見るわずらわしさがあり、逆に歯科医は診療に集中できなくなってしまった。
【特許文献５】特開２００２−１２５９３８号公報
【発明の開示】
【発明が解決しようとする課題】
【００１７】
歯科医と患者の口との位置関係をつねに一定範囲を保ち、その際歯科医の目線、腕、手首、指先等の動作を一定範囲内にして、手元を見なくても自分の手を思い通りに動かして診療することができるようにすることである。そして歯科医は椅子に座り体に負担をかけない自然で無理のない姿勢で診療することができ、その結果疲れにくく、かつ診療の質の向上をはかることができるようにすることである。
【００１８】
また特に歯科医は目に負担をかけずに数倍から数十倍の拡大像を見ながら治療ができるようにして、質の高い歯科治療を行うことができるようにすることである。
更に患者は自分の口腔内で行われつつある歯科治療がどんなものであるかを正確に知って安心することができるようにすることである。
【００１９】
この発明が解決しようとする課題を口腔内カメラの映像を映したモニターを見ながら診療器具を動かす場面について図面を用いて解説する。図１６は患者の上顎前歯唇側面を口腔内カメラ１２で撮影する場面の解説図である。口腔内カメラ１２は水平にしてヘッド部分３７が患者１５の頭頂部方向になるようにして撮影する。歯科医１４の目線から直接見た患者の上顎前歯唇側面の位置関係に比べて上下、左右が逆転した映像がモニターに映し出される。この映像を見ながら診療器具５０を動かそうとすると意図する方向とは上下、左右方向に逆に動かしてしまうことになる。
【００２０】
次に患者の上顎臼歯咬合面を口腔内カメラのヘッド部分を下方に向け、レンズを上顎方向に向けて撮影する場面について図１４を用いて解説をする。基本的に歯科医１４は歯科医の右手４６に持った診療器具５０を上から下に移動させた時、モニター画面でも診療器具５０が上から下に移動すること。また、診療器具５０を左から右に移動させた時にモニター画面上でも左から右に移動すると方向を間違えずにモニターを見ながら診療器具を動かすことができる。
【００２１】
ところが口腔内カメラの映像は診療器具を上から下に移動させるとモニター画面では下から上に移動して見えるため意図した方向に診療器具を動かせない。本発明はモニター画面を見ながら違和感なく診療できるような画面転換ができる歯科診療装置を提供することを目的とする。
【００２２】
従来の歯科診療では治療しようとする部位を直接見ながら行うことが多かったので、歯科医は前かがみで左右に体を傾けた不自然な診療姿勢を強いられた。その結果、多くの歯科医は腰痛などの体の不調に苦しんでいる。本発明は歯科医が診療姿勢に起因する体の不調を起こさないように、自然で無理のない診療姿勢で行うことができる歯科診療装置を提供することを目的としている。
【００２３】
また従来の歯科診療では直接見えない部位を治療する場合、歯科医が片手に歯鏡を持ち、歯鏡に治療部位を映し、それを見ながら治療する方法があった。この方法で治療すると、患者の吐息で歯鏡がくもることが多い。また、水をかけながら歯を削る治療では水しぶきが歯鏡に付着してしまい、歯鏡に治療部位を映せなくなってしまった。また片手が歯鏡を持つために使われるため、両手での治療ができなかった。本発明は歯鏡を使うことで生じるこのような問題を解決することを目的とする。
【００２４】
さらに従来の歯科診療では歯科助手は歯科医の傍らで患者の口腔内に溜まった水を吸引するなどの診療補助をしている。ところが口腔内の状態は歯科助手の位置からではほとんど見えなかった。そのため、歯科助手は適切なタイミングで正確な診療補助をすることが難しかった。本発明は歯科助手が容易に適切なタイミングでしかも正確な診療補助をすることが可能となる歯科診療装置を提供することを目的とする。
【００２５】
更にまた従来の歯科診療では患者は自分の口腔内で行われている歯科治療を見ることができなかった。そのため患者は自分の受けている歯科治療が適切なものかを判断することができなかった。本発明は患者が歯科治療を受けている最中に、自分の口腔内の治療の様子を拡大して見ることができる歯科診療装置を提供することを目的とする。
【００２６】
患者は口を開けて治療を受けている最中に歯科医に自分の意思を伝える手段がなかった。そのため、例えば口を開いたままで顎が痛いので休憩してほしいと思っていても、治療が終わるまで延々と我慢しなければならなかった。本発明は患者が口を開けたままで歯科医に自分の意思を伝えることができる歯科診療装置を提供することを目的とする。
【００２７】
患者は治療中に体調に変調をきたすことがある。ところが歯科医がそれになかなか気がつかず、その結果、緊急事態に陥ることがあった。本発明は患者の身体の状態を適宜の方法を用いて感知して患者の体調に合わせた診療ができるようにした歯科診療装置を提供することを目的とする。
【００２８】
従来の歯科診療では診療記録として、歯科医が忙しい診療の合間に記録した文字・図表・写真などに頼っていた。そのため、誤りや記入漏れが多く、不正確で信憑性の乏しい診療記録になっていた。本発明は詳細で正確な診療記録を残すことのできる歯科診療装置を提供することを目的とする。
【００２９】
従来の歯科教育では歯科治療の方法を教育する場合、指導者の歯科治療を傍らで見学する方法がとられていた。ところが口腔内という狭くて暗い空間での細かい作業であるため、見学者にはなかなか見えないことが問題となっていた。本発明は歯科治療の教育の場面で指導者が行っている治療をはっきりと見ることができる歯科診療装置を提供することを目的とする。
【００３０】
従来の歯科診療装置では口腔内カメラの映像を見ながら治療をしようとすると、画面上での手の動きの方向と実際の手の動きの方向が違うことがあり、治療をすることが大変困難であった。そこで本発明は画面上での手の動きの方向と実際の手の動きの方向を一致させることでモニター画面の動画映像を見ながら容易に治療することができる歯科診療装置を提供することを目的とする。
【００３１】
従来の歯科診療装置の口腔内カメラは撮影するためのレンズの位置が固定されている。そのため、口腔内の部位によっては適切な角度からレンズを向けて撮影することができなかった。本発明は口腔内のすべての部位に対して適切な方向から撮影できる口腔内カメラを備えた歯科診療装置を提供することを目的とする。
【００３２】
口腔内カメラの映像を見ながら治療しようとすると、遠近感がわかりにくく、そのため肉眼での確認が必要となる場面もあった。本発明は遠近感のわかる映像が見られる口腔内カメラを備えた歯科診療装置を提供することを目的とする。
【００３３】
口腔内カメラで撮影しながら歯を切削する場合、口腔内カメラのレンズを切削しようとする歯面に向けることになるが、カメラのレンズを常に適切に位置づけることはわずらわしい作業である。本発明は口腔内カメラの位置づけ作業を不要にした口腔内カメラを備えた歯科診療装置を提供することを目的とする。
【００３４】
口腔内カメラのレンズまたはレンズカバーに歯を切削する時などの水がかかると水滴の影響で映像が見えなくなってしまう。本発明はレンズ部分に水がかかっても鮮明な映像を見ることができる口腔内カメラを備えた歯科診療装置を提供することを目的とする。
【００３５】
口腔内カメラで下顎臼歯舌側を撮影しながら治療しようとした場合、舌が邪魔になって撮影も治療もできない。本発明は舌に邪魔されずに口腔内を撮影しながら治療もできる口腔内カメラを備えた歯科診療装置を提供することを目的とする。
【課題を解決するための手段】
【００３６】
本発明の歯科診療装置は歯科診療台の近傍に配置された歯科医用椅子と、患者の口腔内の動画映像を撮影し、患者の口の近傍で固定し、またカメラのレンズの表面に親水性のカバーを設けている口腔内カメラと、該歯科医用椅子に座る歯科医、歯科診療台上で仰向けになっている患者、及び診療補助をする歯科助手の３者から見える位置に設置され、前記口腔内カメラで映し出される映像を該歯科医がフットスイッチを操作することによって上下反転と左右反転の画面転換させられる第１モニターと、歯科医がフットスイッチを操作して口腔内カメラの映像を記録することができる録画装置とからなるものである。
【発明の効果】
【００３７】
本発明は、以上説明したように構成されているので、以下に記載されるような効果を奏する。
従来の歯科診療では図１２に示すように歯科医の頭部、上半身、下半身の位置や形が不自然で無理があり、精密作業の連続である歯科治療は想像を超える歯科医の肉体の酷使の上に成り立っていた。この歯科診療装置によって、歯科医と患者の口との位置関係をつねに一定範囲に保つことができる。これにより歯科医は目線、腕、手首、指先等の動作が一定範囲内になり、手元を見なくても自分の手を思い通りに動かして診療することができるようになる。そして歯科医は椅子に座り体に負担をかけない自然で無理のない姿勢で診療することができるため、疲れにくく、診療の質の向上をはかることができる。
【００３８】
またこの歯科診療装置によって、歯科医は数倍から数十倍の拡大像を見ながら治療ができるようになる。これによって歯科医は目の疲れを感じることなく、質の高い歯科治療を行うことが可能となる。
【００３９】
更にこの歯科診療装置によって、歯科医は歯鏡を使わずに口腔内のすべての部位をモニターに拡大して映して見ながら治療することができる。口腔内カメラのレンズ部分は照明の熱で適度に温められているため、レンズが曇ることがない。また、歯鏡と違い、口腔内カメラは親水性のカバーをレンズ部分にかけることで、水滴に影響されずに映像を見ることができるようになる。したがって、歯鏡を用いるために起こる問題点である歯鏡面の曇りや水滴によって見えなくなる問題を克服することができる。また、歯鏡を使うために歯科医が片手でしか治療ができなくなる問題も解決される。
【００４０】
又更にこの歯科診療装置によって、患者は口腔内カメラの数倍から数十倍に拡大された映像を治療中いつでも見ることができる。このことで患者は自分の口腔内で行われつつある歯科治療がどんなものであるかを正確に知ることができるようになる。
【００４１】
従来の歯科診療では患者の口腔内を明るくするために歯科診療台に取り付けられた照明灯の光を患者の口に向けて照射していた。この照明はかなりの明るさがあるが、患者の目にもその強烈な光が当たることになった。本発明の歯科診療装置は口腔内カメラに照明が組み込まれていてその光で患者の口腔内の治療部位を照明するので、歯科診療台の上から患者の顔に向けて光を当てる必要がなく、したがって患者は診療中にまぶしさに苦しむ必要がなく穏やかな気持ちで診療を受けることができる。また照明灯の電力を使わないことで節電にもなる。
【００４２】
この歯科診療装置によって、歯科助手は口腔内カメラの映像または歯科助手用カメラの映像を見ることで、歯科医の治療を正確に把握し、また患者の口腔内の状態を正確に確認することが可能となる。その結果、歯科助手は適切なタイミングでしかも正確な診療補助を行うことができるようになる。
【００４３】
本発明の歯科診療装置によって歯科治療の診療記録を映像で残すことができるようになる。このことによって、診療記録は詳細で正確なものに変えることができる。
【００４４】
本発明の歯科診療装置を歯科治療技術の伝達に使うことができる。口腔内カメラの映像を記録して用いれば、今までの文字、イラスト、写真などを使った方法に比べて格段に正確な技術の継承が可能となる。
【００４５】
口腔内カメラは従来、歯科医が片手で保持しなが４、撮影していた。カメラ保持具によって歯科医は両手が解放され、両手を使って治療することが可能となる。
【００４６】
バキュームは従来、歯科助手が患者の口の中に保持していた。バキュームを固定させることによって歯科助手はバキューム保持の長時間の単純作業から開放され、精神的な負担も軽減される。
【００４７】
患者は治療中、口を開けているため自分の意思を歯科医や歯科助手に伝える手段がなかった。この発明により患者は簡単に自分の意思を表すことができるようになった。そして例えば患者は口腔内に溜まった歯の削りカスを含んだ水を飲み込まないように長時間黙々と耐え忍んでいるような不快感から開放される。
【００４８】
患者は例えば麻酔をしている時に脈拍数がかなり上昇することがある。これは麻酔液が血管に流れ込んでいることが多いが、この変化もモニター画面で常に監視できるため、すぐに異常に気づき適切な対処をすることができるようになる。
【００４９】
口腔内カメラの弱点の一つは映像が平面的に見え、奥行き感がないことであった。今回の発明により、口腔内カメラの映像を立体視できることで、映像を見ながら治療することがかなり容易になる。
【００５０】
口腔内カメラのヘッド部分が口腔内カメラ本体に対して折り曲げて角度調整できる口腔内カメラを使うことで、より簡単に適切な方向から口腔内を撮影できるようになる。
【００５１】
口腔内カメラをタービンのハンドピースに装着することで、歯科医は口腔内カメラを操作せずに治療部位を撮影し、その映像を見ながら歯を切削することができるようになる。また口腔内カメラをマイクロモーター、超音波スケーラー、電気メスまたはレーザーなどのハンドピースに装着すれば、同様に口腔内カメラを操作せずに映像を見ながら診療することができるようになる。
【００５２】
これまで口腔内カメラによる撮影および治療が困難であった下顎臼歯舌側歯面を口腔内カメラに取り付けられた舌圧排子を使うことで、歯科医は片手に口腔内カメラを持って操作して舌を排除しながら撮影する。そしてもう一方の手を使って治療するという方法が可能になった。
【００５３】
以上要するに本発明はより安全でより高度な精密さを追求するべき歯科医療の進歩を妨げていた最大の障害であった歯科医の不安定な治療姿勢が抜本的に改善され、一定の安定した治療部位を一定の安定した治療姿勢で行われる治療により、歯科医は人間がもともと備えていた五感や能力を最大限に活用して、治療にあたることができるようになった。
【発明を実施するための最良の形態】
【００５４】
請求項１の発明の歯科診療装置を用いて診療する際について解説すると、先ず歯科診療台の上に患者が仰向けになり口を開けて治療を受ける。歯科医は備えられた歯科医用椅子に腰掛ける。歯科医は患者の口腔内に口腔内カメラのレンズを向けて撮影をする。口腔内カメラの映像は歯科医が見やすい位置に設置された第１モニターに映し出される。歯科医は第１モニターを見ながら治療を進めていく。なお、口腔内カメラは患者の口腔内または口腔の近傍で固定させることができる。また口腔内カメラのレンズには表面が親水性の材質でできたカバーがつけられている。患者は仰向けになって口を開けている状態でいるが、その姿勢で第１モニターを見ることが可能である。歯科助手は歯科診療台の近傍で診療補助をしながら、第１モニターを見ることが可能である。第１モニターの映像を歯科医がフットスイッチを操作することで少なくとも、上下反転と左右反転の画面転換と口腔内カメラの映像の録画をすることができる。
【００５５】
請求項２について解説する。歯科診療台に患者が仰向けになり口を開けて治療を受ける。歯科医は歯科診療台の近傍に備えられた歯科医用椅子に腰掛ける。歯科医は患者の口腔内に口腔内カメラのレンズを向け、撮影をする。口腔内カメラの映像は歯科医がほぼ正面を向いた姿勢で見ることができる位置に設置された第１モニターに映し出される。歯科医は第１モニターを見ながら治療を進めていく。なお、口腔内カメラは患者の口腔内または口腔の近傍に固定することができる。また、口腔内カメラのレンズの表面には親水性の材質でできたカバーがつけられている。第１モニターの映像は歯科医がフットスイッチを操作することで少なくとも、上下反転と左右反転の画面転換と口腔内カメラの映像を録画することができる。
【００５６】
請求項２の患者について解説する。患者は歯科診療台の上で仰向けになって診療を受ける姿勢をとっている。患者は自分の口腔内で行われつつある治療を口腔内カメラの映像を通して見ることができる。すなわち、第１モニターは仰向けの患者には必ずしも見やすい位置ではない。そこで患者が見やすい位置に患者用鏡を設置して、この鏡に第１モニターを映して見ることができるようにする。
【００５７】
請求項２の歯科助手について解説をする。歯科助手は歯科診療台の近傍で診療補助をする。歯科助手は口腔内カメラの映像を見ることで歯科医の治療を正確に理解した上で診療補助をすることができる。ところで歯科助手は通常、歯科医とは異なる方向を見て診療補助をしているため、第1モニターを見るにはかなり大きく視線を移動させることになる。そこで歯科助手が診療補助をしながら、大きく視線を移動させないで見られる位置に歯科助手用鏡を設置して、この鏡に映して第１モニターを見られるようにする。
【００５８】
請求項３について解説する。歯科診療台に患者が仰向けになり口を開けて治療を受ける。歯科医は歯科診療台の近傍に備えられた歯科医用椅子に腰掛ける。歯科医は患者の口腔内に口腔内カメラのレンズを向け、撮影をする。口腔内カメラの映像は歯科医が自然で無理のない姿勢で見ることができる位置に設置された第１モニターに映し出される。なお口腔内カメラは患者の口腔内または口腔の近傍に固定させることができる。また、口腔内カメラのレンズの表面には親水性の材質でできたカバーがつけられている。歯科医は第１モニターを見ながら治療を進めていく。第１モニターの映像は歯科医がフットスイッチを操作することで、少なくとも上下反転と左右反転の画面転換と口腔内カメラの映像を録画することができる。
【００５９】
請求項３の患者について解説する。患者は歯科診療台の上に仰向けになって診療を受ける姿勢をとっている。患者は自分の口腔内で行われつつある治療を口腔内カメラの映像を通して見ることができる。すなわち、患者が仰向けで見やすい位置に第２モニターを設置する。そして第２モニターに口腔内カメラの映像を映し出すことで患者は自分の口腔内の治療を見ることができる。
【００６０】
請求項３の歯科助手について解説する。歯科助手は歯科診療台の近傍で診療補助をする。歯科助手は口腔内カメラの映像を見ることで歯科医の治療を正確に理解した上で診療補助をすることができる。ところで通常、歯科助手は歯科医とは異なる方向を見て診療補助をしている。そこで歯科助手が診療補助をしながら、大きく視線を移動させないで見られる位置に第３モニターを設置して、このモニターに映して口腔内カメラの映像を見られるようにする。
【００６１】
請求項４について解説する。歯科診療台に患者が仰向けになり口を開けて治療を受ける。歯科医は備えられた歯科医用椅子に腰掛ける。歯科医は患者の口腔内に口腔内カメラのレンズを向け、撮影する。口腔内カメラは歯科医が片手で保持するか保持具につけて固定する。口腔内カメラのレンズの表面には親水性の材質でできたカバーがつけられている。口腔内カメラの映像は歯科医が正面を向いた姿勢で見ることができる位置に設置された二分割モニターに映し出される。この口腔内カメラは２つの撮影装置を備えており、レンズも２つ並列にある。２つのレンズは同じ被写体を映せるように角度調整がされている。そして２つのレンズで撮影したものを左右に２分割の画面を作ることができる二分割モニターに映し出す。歯科医は左目で左側の画面を見て、右目で右側の画面を見る。このことによって、歯科医は被写体を奥行きのある立体として認識することが可能となる。歯科医は二分割モニターを見ながら治療を進める。なお、二分割モニターの映像は歯科医がフットスイッチを操作することで、少なくとも上下反転と左右反転の画面転換と映像の録画をすることができる。
【００６２】
請求項４の患者について解説する。患者は歯科診療台の上に仰向けになって治療を受ける姿勢をとっている。患者は自分の口腔内で行われつつある治療を口腔内カメラの映像を通して見ることができる。すなわち、患者が仰向けで見やすい位置に第２モニターを設置する。そして第２モニターに口腔内カメラの映像を映し出すことで患者は自分の口腔内の治療を見ることができる。
【００６３】
請求項４の歯科助手について解説する。歯科助手は歯科診療台の近傍で診療補助をする。歯科助手は口腔内カメラの映像を見ることで歯科医の治療を正確に理解した上で診療補助をすることができる。歯科助手が診療補助をしながら、大きく視線を移動させないで見られる位置に第３モニターを設置して、このモニターに映して口腔内カメラの映像を見られるようにする。
【００６４】
請求項５の歯科助手用カメラについて解説する。歯科助手の位置から直接、患者の口腔内を見ようとしても、前歯以外、ほとんど見ることが難しい。そこで歯科助手は歯科助手用カメラを手に持ち、必要な時に患者の口腔内を撮影し、それを第３モニターに映して見ることができる。これで歯科助手は患者の口腔内の状態をいつでも正確に把握することができる。歯科助手用カメラはバキュームチップまたはスリーウェイシリンジと一体にすることができる。また、歯科助手用カメラはバキュームチップまたはスリーウェイシリンジに着脱式に取り付けることもできる。
【００６５】
請求項６のカメラ保持具について解説する。口腔内カメラは従来、歯科医が片手に保持して口腔内を撮影していた。カメラ保持具は口腔内カメラを患者の口腔内または口腔の周囲の任意の位置に固定させることができる。このことで、歯科医は両手を使って診療できるようになる。
【００６６】
請求項７のフレキシブル管延長ホースについて解説する。患者の歯を切削する時には、歯に水をかけながら行われる。その水は歯科診療台に備えられたバキュームで吸引される。バキュームは従来、歯科医か歯科助手が口腔内の所定の位置に保持していた。この発明はバキュームホースに適度な硬さのフレキシブル管を連結させ、バキュームチップを口腔内の所定の位置に移動させてから、手を離すとそこで、固定されて動かないようになる。
【００６７】
請求項８の患者の意思の伝達ができる歯科診療装置について解説する。歯科治療を受けるために口を開けている状態の患者が、歯科医や歯科助手に自分の意思を伝えるための方法である。患者は手で発信機を操作する。するとその情報が第１モニターから第３モニターまたは二分割モニターのうちの任意のモニターに表示されるようになっている。このことによって、患者は歯科医や歯科助手に自分の意思を即時に伝えることができる。
【００６８】
請求項９の患者の身体的状態を把握できる歯科診療装置について解説する。患者は歯科治療を受けている時に体調が悪くなることがある。そこで歯科診療台に患者の身体の状態を適宜の方法を用いて感知する装置を設置してその情報を第１モニターから第３モニターまたは二分割モニターのうちの任意のモニターに表示できるようにする。歯科医は第１モニターまたは二分割モニターを常時、見ながら治療している。そのため、モニターに表示された情報を見落とすことなく即座に受け取ることができ、その情報を患者の治療に役立てることができる。
【００６９】
請求項1０の立体視のできる口腔内カメラについて解説する。口腔内カメラに２つのレンズを並列させる。２つのレンズで口腔内の同じ部位を同時に撮影する。２つの映像は左右に２分割できる二分割モニターに映す。口腔内カメラの一方のレンズで撮影された映像をモニター画面の左側に、口腔内カメラのもう一方のレンズで撮影された映像をモニター画面の右側に映し出す。歯科医は右目でモニターの右側画面を見、左目でモニターの左側画面を見る。こうすると、歯科医は被写体を立体として認識することができる。
【００７０】
請求項１１のヘッド部分を折り曲げられる口腔内カメラについて解説する。口腔内カメラのヘッド部分と口腔内カメラ本体の間にヒンジを設け、自由に折り曲げた状態で撮影できる。口腔内の撮影したい部位に合わせてヘッド部分の角度を調整することで、口腔内のすべての部位に対して正確にレンズを向けて、撮影することができるようになる。
【００７１】
請求項１２のハンドピースに装着することができる、着脱式口腔内カメラについて解説する。歯を切削する回転器具や超音波スケーラーや電気メスやレーザーのハンドピースに口腔内カメラを着脱可能に装着し、この口腔内カメラの映像をモニター画面に映し、この映像を見ながら歯科医が歯科治療を進める。
【００７２】
請求項１３の舌圧排子について解説する。口腔内カメラで撮影する時に舌が視野を遮り撮影できない場合、口腔内カメラのヘッド部分に舌圧排子を着脱自在に取り付け、それを舌に押し付けて排除することで舌に隠れた部分を撮影しながら治療ができるようにする。
【実施例】
【００７３】
請求項１の発明を実施例にもとづき図面を参照して説明する。図１において歯科診療台１は背板が床面に対してほぼ平行になるように設置する。患者１５は歯科診療台１の上で仰向けになっている。歯科医１４は歯科診療台１のヘッドレスト５の近傍に配置された歯科医用椅子４に腰掛ける。歯科医１４は口腔内カメラ１２を片手で保持するか、またはカメラ保持具１３に取り付ける。そして口腔内カメラ１２で治療しようとする部位を撮影する。また、口腔内カメラ１２のレンズ４５の表面に親水性の材質のカバーをつけることで、水がかかっても映像が見えるようになる。口腔内カメラ１２で撮影された映像は照明用支柱２に設置された第１モニター６に映し出される。歯科医１４は第１モニター６を見ながら治療を進めることができる。患者１５は仰向けで治療を受けながら第１モニター６を見ることができる。歯科助手１６は歯科診療台１のヘッドレスト５の左側で診療補助をする。その際、歯科助手１６は第１モニター６を見ることができる。なお、口腔内カメラの映像は歯科医がフットスイッチ５１を操作することで、少なくとも上下反転と左右反転の画面転換と映像の録画をすることができる。
【００７４】
請求項２の発明の実施の形態を実施例にもとづき図面を参照して説明する。
図２において歯科診療台１は背板が床面に対してほぼ平行になるように設置する。患者１５は歯科診療台１の上で仰向けになっている。歯科医１４は歯科診療台１のヘッドレスト５の近傍に配置された歯科医用椅子４に腰掛ける。歯科医１４は口腔内カメラ１２を患者１５の口腔内の治療しようとする部位に向ける。口腔内カメラ１２をカメラ保持具１３に固定させて使う場合、カメラ保持具１３のロック機構を働かせ、歯科医１４が口腔内カメラ１２から手を離しても口腔内カメラ１２が動かないようにする。これで歯科医１４は両手を使って治療することができる。また口腔内カメラのレンズの表面には親水性の材質でできたカバーをつける。これによってレンズに水がかかっても映像を見ることができるようになる。歯科医１４は第１モニター６を見ながら治療を進める。患者１５は仰向けで治療を受けながらほぼ真上を見るとそこに患者用鏡１７が設置されていて、この患者用鏡１７には第１モニター６の画面が映るように角度調整がされている。これで、患者はいつでも口腔内カメラの映像をはっきりと見ることができる。歯科助手１６は歯科診療台１のヘッドレスト５の左側で診療補助をしている。歯科助手１６は歯科診療台１の右側に設置された歯科助手用鏡１８を自然な姿勢で見ることができる。この歯科助手用鏡１８には第１モニター６の画面が映るように角度調整がされている。これで、歯科助手１６はいつでも口腔内カメラの映像をはっきりと見ることができる。口腔内カメラの映像を歯科医がフットスイッチ５１を操作することで、少なくとも上下反転と左右反転の画面転換と映像の録画をすることができる。
【００７５】
請求項３の発明の実施の形態を実施例にもとづき図面を参照して説明する。
図３において歯科診療台１は背板が床面に対してほぼ平行になるように設置する。患者１５は歯科診療台１の上で仰向けになっている。歯科医１４は歯科診療台１のヘッドレスト５の近傍に配置された歯科医用椅子４に腰掛ける。歯科医１４は口腔内カメラ１２のレンズを患者１５の口腔内の治療しようとする部位に向ける。口腔内カメラ１２をカメラ保持具１３に固定して使う場合、カメラ保持具１３のロック機構を働かせ、歯科医１４が口腔内カメラ１２から手を離しても口腔内カメラ１２が動かないようにする。これで歯科医１４は両手を使って治療することができる。口腔内カメラ１２のレンズの表面には親水性の材質でできたカバーをつける。これでレンズに水がかかっても映像を見ることができる。口腔内カメラ１２で撮影された映像は照明用支柱２に設置された第１モニター６に映し出される。歯科医１４は第１モニター６を見ながら治療を進める。患者１５は仰向けで治療を受けながらほぼ真上を見るとそこに第２モニター７が設置されている。第２モニター７には口腔内カメラ１２の映像が映し出される。歯科助手１６は歯科診療台１のヘッドレスト５の左側で診療補助をしている。歯科助手１６は歯科診療台１の右側に設置された第３モニター８をいつでも見ることができる。第３モニター８には口腔内カメラ１２の映像が映し出される。口腔内カメラの映像は歯科医がフットスイッチ５１を操作することで、少なくとも上下反転と左右反転の画面転換と映像の録画をすることができる。
【００７６】
請求項４の発明の実施の形態を実施例にもとづき図面を参照して説明する。
図４において歯科診療台１は背板が床面に対してほぼ平行になるように設置する。患者は歯科診療台１の上で仰向けになっている。歯科医１４は歯科診療台１のヘッドレスト５の近傍に配置された歯科医用椅子４に腰掛ける。歯科医１４は口腔内カメラ１２のレンズを口腔内の治療しようとする部位に向ける。口腔内カメラ１２をカメラ保持具１３に固定して使う場合、カメラ保持具１３のロック機構２６を働かせ、歯科医１４が口腔内カメラ１２から手を離しても口腔内カメラ１２が動かないようにする。これで歯科医１４は両手を使って治療することができるようになる。口腔内カメラのレンズの表面には親水性の材質でできたカバーをつける。これによってレンズに水がかかっても映像を見ることができる。口腔内カメラ１２で撮影された映像は照明用支柱２に設置された二分割モニター９に映し出される。なお、この口腔内カメラ１２は第１レンズ３９と第２レンズ４０の２つのレンズを備え、２方向から同時に同じ部位を撮影できる。二分割モニター９は画面が左右に２分割できるようになっており、口腔内カメラ１２の２つの映像をそれぞれ左または右の画面に映し出すことができる。このようにして歯科医１４は二分割モニター９を見ながら治療を進めることができる。口腔内カメラの映像は歯科医がフットスイッチ５１を操作することで、少なくとも上下反転と左右反転の画面転換と映像の録画をすることができる。歯科医は映像を見ながら治療ができるように適宜、上下、左右の画面転換をさせる。次に患者１５について説明する。患者１５は歯科診療台１に上で仰向けになって治療を受ける。そしてほぼ真上を見るとそこに第２モニター７が設置されている。第２モニター７には口腔内カメラ１２の映像が映し出される。次に歯科助手１６について説明する。歯科助手１６は歯科診療台１のヘッドレスト５の左側で診療補助をしている。歯科助手１６は歯科診療台１の右側に設置された第３モニター８をいつでも見ることができる。第３モニター８には口腔内カメラ１２の映像が映し出される。
【００７７】
請求項５の歯科助手用カメラ１９についての実施の形態を実施例にもとづき図面を参照して説明する。図５のように患者が歯科診療台１の上で仰向けになり口を開けて治療を受けている。その時患者１５の口の奥には唾液や歯を削る時に出る水や粉が溜まることになる。歯科助手１６はこの唾液や水や粉を吸引したり洗い流したりすることが求められている。ところが歯科助手１６の位置から患者１５の口腔内の奥に溜まった水などを目で見ることができない。そこで歯科助手１６は歯科助手用カメラ１９を手に持ち、この歯科助手用カメラ１９で口腔内を撮影し、その映像によって口腔内を確認しようとするものである。歯科助手用カメラ１９はバキュームチップ３５またはスリーウェイシリンジと一体に構成することが可能である。歯科助手用カメラ１９の映像は第３モニター８に映し出すことができる。
【００７８】
請求項６のカメラ保持具１３についての実施の形態を実施例にもとづき図面を参照して説明する。図６のように床置き円盤２０の中央に支柱２１を立て、支柱２１の軸線方向に摺動自在に装着された第１リンク２２と第１リンク２２に摺動自在かつ回動自在に装着された第２リンク２３とを備えたカメラ保持装置１３。第２リンク２３は上方で水平方向に曲がっている。第２リンク２３の水平部分に摺動自在に第１アーム２４が装着されている。第１アーム２４の他端にはロック機構２６を介して口腔内カメラ１２が装着される。なお、図６は床置きタイプのカメラ保持具の一例であり、カメラ保持具１２は適宜の部分から立ち上げることができる。
【００７９】
請求項６のカメラ保持具１２のロック機構２６について図面を参照して説明する。図７はロック機構２６を示す概略図である。第１アーム２４と第２アーム２５の一端にある球状体からなる係合部材２７が上下二つの押圧板２８の凹部に挟まれた位置で揺動自在に支持されている。押圧板２８の中央部に上下の押圧板２８を貫通して調整ボルト２９が螺着されている。調整ボルト２９を回して調整ボルト２９を締め付けると上下の押圧板２８が係合部材２７に押し当てられ、第１アーム２４と第２アーム２５の揺動を拘束して口腔内カメラ１２の位置を固定できるようになっている。第２アーム２５の他端にはカメラ取り付け座３０を介して口腔内カメラ１２を取り付ける。また、押圧板２８は強磁性体でつくり係合部材２７に磁石を用い、ボールジョイント磁石を構成し、電磁ロックと共用することも考えられる。
【００８０】
請求項７のフレキシブル管延長ホース３４についての実施の形態を実施例にもとづき図面を参照して説明する。図８のようにバキュームホース３１の把持部をバキュームホース固定台座３２に強固に固定させる。バキュームホース３１を格納した状態でバキュームホース３１の把持部の先端に中空のフレキシブル管延長ホース３４を着脱自在に取り付ける。フレキシブル管延長ホース３４は力を加えることで形が変形し、力を加えないとそのままの形状を保持する適度な硬さをもつ。フレキシブル管延長ホース３４のもう一方の断端にはバキュームチップ３５を着脱自在に挿入することができる。このフレキシブル管延長ホース３４を用いることでバキュームチップ３５を患者の口腔内の任意の位置に固定させることができる。また従来の方法でバキュームホースに直接バキュームチップを取り付けて使用することもできる。
【００８１】
請求項８の患者の意思の伝達ができる歯科診療装置について、実施の形態を実施例にもとづき説明する。歯科治療を受けている最中の患者が歯科医に自分の意思を伝えるための歯科診療装置である。患者は歯科診療台の上で仰向けになって口を開けている。口腔内では治療が行われているため、話をすることはできない。そこで患者の手に発信機５２を持たせておき、必要な時に発信機５２を操作することで、第１モニターから第３モニターまたは二分割モニターのうち任意のモニターの画面上に文字や記号を表示させる。このように患者はモニターを介して自分の意思を歯科医や歯科助手などに伝えることができる。
【００８２】
請求項９の患者の身体の状態を把握できる歯科診療装置について、実施の形態を実施例にもとづき説明する(図面なし)。患者は歯科治療の最中に体に異常をきたすことがある。請求項９の歯科診療装置では歯科診療台に備えられた適宜の検知器で患者の心拍数、血圧、体温、呼吸数、発汗量、血中酸素飽和度、心電図などを測り、そのデータを第１モニターから第３モニターまたは二分割モニターのうち、任意のモニターに表示することができる。そして歯科医は常に第１モニターまたは二分割モニターを見ながら治療をしているので、モニターに映し出される情報を即座に受け取ることができる。その結果、より適切な治療をすることができる。
【００８３】
請求項１０の立体視のできる口腔内カメラについて、実施の形態を実施例にもとづき図面を参照して説明する。図９のように口腔内カメラ１２のヘッド部分３７に第１レンズ３９と第２レンズ４０の２つのレンズが並列に配列されている。この２つのレンズは同一の被写体を少し違う方向から撮影できるように角度調整がされている。２つの映像を左右２分割に画面表示できる二分割モニターに映すことで、立体視をすることが可能となる。
【００８４】
請求項１１のヘッド部分３７を折り曲げられる口腔内カメラ１２の実施の形態を実施例にもとづき図面を参照して説明する。図９のように口腔内カメラ本体３６とヘッド部分３７はヒンジ３８でつながれていて、ヒンジ３８を中心にしてヘッド部分３７を回動させることができる。そしてヘッド部分３７を任意の角度に折り曲げた状態で撮影することができる。
【００８５】
請求項１２のハンドピース着脱式口腔内カメラ４４の実施の形態について図面を用いて解説する。歯の切削器具であるタービンのハンドピース４２に口腔内カメラを装着する場合について説明する。図１１のようにハンドピースに口腔内カメラを取り付ける。着脱式口腔内カメラ４４のレンズ４５は切削用のバー４３がほぼ口腔内カメラの映像の中央に位置するように取り付ける。着脱式口腔内カメラ４４のレンズ４５の位置設定は少なくとも４通り必要となる。
【００８６】
請求項１３の舌圧排子のついた口腔内カメラ４４の実施の形態について図面を用いて解説する。図１７のように下顎臼歯舌側歯面は通常、舌の側面が接している。そのため下顎臼歯舌側歯面をそのままの状態では撮影も治療もできない。そこで口腔内カメラのヘッド部分に舌圧排子を着脱自在に取り付け、それを舌に押し付けて舌を歯面から遠ざけることで下顎臼歯舌側を撮影し、その部分にできた空間で診療器具を動かして治療できるようにする。なお、この舌圧排子は撮影部位によって数種類の形が必要となる。
【図面の簡単な説明】
【００８７】
【図１】請求項１の発明の実施例を示す概略図である。
【図２】請求項２の発明の実施例を示す概略図である。
【図３】請求項３の発明の実施例を示す概略図である。
【図４】請求項４の発明の実施例を示す概略図である。
【図５】請求項５の発明の実施例を示すものであって、その発明の歯科助手用カメラの配置を示す概略図である。
【図６】請求項６の発明の実施例を示すものであって、その発明のカメラ保持具を示す概略図である。
【図７】請求項６の発明の実施例を示すものであって、その発明のカメラ保持具のロック機構を示す概略図である。
【図８】請求項７の発明の実施例を示すものであって、その発明のフレキシブル管延長ホースの配置を歯科診療台の裏から見た概略図である。
【図９】請求項７の発明の実施例を示すものであって、その発明のフレキシブル管延長ホースの配置を示す概略図である。
【図１０】請求項１０と請求項１１の発明の実施例を示すものであって、その発明の口腔内カメラの形状を示す概略図である。
【図１１】請求項１２の発明の実施例を示すものであって、その発明の本発明のハンドピースに着脱できる口腔内カメラの形状を示す概略図である。
【図１２】従来の歯科医の診療姿勢を示す概略図である。
【図１３】患者の上顎咬合面および上顎咬合面にマークしたＦの字を患者の足方向から見た仮想図である。
【図１４】患者の上顎咬合面にマークしたＦの字を歯科医が歯鏡に映して見ているところを示す概略図である。
【図１５】図１４の歯鏡の部分のみを拡大したところを示す概略図である。
【図１６】歯科医の目線から見た患者とモニターの画面上の口腔内を示す概略図である。
【図１７】舌を排除しながら下顎臼歯舌側歯面を撮影、治療する場面を示す概略図である。
【符号の説明】
【００８８】
１  歯科診療台
２  照明用支柱
３  モニター取り付け部
４  歯科医用椅子
５  ヘッドレスト
６  第１モニター
７  第２モニター
８  第３モニター
９  二分割モニター
１０  二分割モニター左画面
１１  二分割モニター右画面
１２  口腔内カメラ
１３  カメラ保持具
１４  歯科医
１５  患者
１６  歯科助手
１７  患者用鏡
１８  歯科助手用鏡
１９  歯科助手用カメラ
２０  床置き円盤
２１  支柱
２２  第１リンク
２３  第２リンク
２４  第１アーム
２５  第２アーム
２６  ロック機構
２７  係合部材
２８  押圧板
２９  調整ボルト
３０  カメラ取り付け座
３１  バキュームホース
３２  バキュームホース固定台座
３３  フレキシブル管延長ホース接続部
３４  フレキシブル管延長ホース
３５  バキュームチップ
３６  口腔内カメラ本体
３７  ヘッド部分
３８  ヒンジ
３９  第１レンズ
４０  第２レンズ
４１  照明
４２  タービンのハンドピース
４３  切削用のバー
４４  着脱式口腔内カメラ
４５  レンズ
４６  歯科医の右手
４７  歯科医の左手
４８  歯鏡
４９  歯鏡のホルダー
５０  診療器具
５１  フットスイッチ
５２  発信機
５３  舌圧排子
【図１】
2005103048.tif 000003
【図２】
2005103048.tif 000004
【図３】
2005103048.tif 000005
【図４】
2005103048.tif 000006
【図５】
2005103048.tif 000007
【図６】
2005103048.tif 000008
【図７】
2005103048.tif 000009
【図８】
2005103048.tif 000010
【図９】
2005103048.tif 000011
【図１０】
2005103048.tif 000012
【図１１】
2005103048.tif 000013
【図１２】
2005103048.tif 000014
【図１３】
2005103048.tif 000015
【図１４】
2005103048.tif 000016
【図１５】
2005103048.tif 000017
【図１６】
2005103048.tif 000018
【図１７】
2005103048.tif 000019